(57)【要約】      （修正有）【課題】前面パネルの裏面に操作部を固定する固着部が粘着された電子機器において、剥離部材を用いることなく容易に固着部をパネルから剥離させることができる電子機器を提供する。【解決手段】電子回路を固定する筐体と、筐体の前面に固定され前後に貫通する貫通孔２０１を備えるパネル２と、パネルの裏面に取り付けられパネルの貫通孔に相対する位置に貫通する貫通孔を備え裏面に後方へ開口する孔を備える円筒部７を有する固着部３と、パネルの貫通孔から突出し操作時に電子回路の動作に関する設定信号を出力する操作部６０１を備え固着部の後方に配設され円筒部の孔と相対する位置に貫通する孔を備える基板６と、基板の孔を介して円筒部の孔に締結されることにより基板を固着部に固定する雄ネジ９とを備え、固着部は、前後に貫通する切り欠き３０２を備え、円筒部は、孔の軸方向に対して垂直方向へ貫通する孔７０２を備える。【選択図】図２
2006012958.tif 000002
【特許請求の範囲】
【請求項１】
箱型を成し内部に電子回路を固定する筐体と、前記筐体の前面に固定され前後に貫通する貫通孔を備えるパネルと、前記パネルの裏面に取り付けられ前記パネルの貫通孔に相対する位置に貫通する貫通孔を備え裏面に後方へ開口する孔を備える円筒部を有する固着部と、前記パネルの貫通孔から突出し操作時に前記電子回路の動作に関する設定信号を出力する操作部を備え前記固着部の後方に配設され前記円筒部の孔と相対する位置に貫通する孔を備える基板と、前記基板の孔を介して前記円筒部の孔に締結されることにより前記基板を前記固着部に固定する雄ネジとを備え、
前記固着部は、前後に貫通する切り欠きを備え、
前記円筒部は、前記孔の軸方向に対して垂直方向へ貫通する孔を備えることを特徴とする電子機器。
【発明の詳細な説明】
【技術分野】
【０００１】
本発明は、前面パネルの裏面に操作部を固定する固着部が取り付けられた電子機器に関する。
【背景技術】
【０００２】
従来の電子機器として、オーディオ信号記録装置を例に挙げ説明する。
図６は、従来のオーディオ信号記録装置の一例を示す斜視図である。
図７は、従来のオーディオ信号記録装置の前面パネル部及び操作部を示す斜視図である。
オーディオ信号記録装置１００は、前面パネル部２、筐体５、基板６、雄ネジ９、固着部３００、図示しない入力部、記録部及び制御部を備える。
【０００３】
筐体５は、前方が開口する箱型を成す。前面パネル部２は、アルミ部材から成り薄い直方体を形成し、図示しないネジによって筐体５の前面に固定される。前面パネル部２は、前後に貫通する孔２０１を備える。
【０００４】
固着部３００は、プラスチックなどの樹脂部材から成り、薄い直方体を形成し、前面パネル部２に取り付けられた状態で前面パネル２の孔２０１と相対する位置に前後に貫通する孔３０１を備える。固着部３００は、その裏面の両端部分にそれぞれ円筒型を成し後方へ突出する円筒部７００を備える。円筒部７００は、後方へ開口する孔７０１を備える。固着部３００の前面には、両面粘着テープ１０が貼付されている。固着部３００は、その前面に貼付された両面粘着テープ１０が前面パネル部２の裏面に粘着することにより前面パネル部２に固定される。孔３０１の形状は、前面パネル部２の孔２０１と略同一の形状であり、固着部３００は、孔３０１の位置が孔２０１の後方の位置となるよう前面パネル部２に固定される。
【０００５】
薄い板状を成す基板６は、操作部６０１を備える。基板６は、さらに固着部３００に取り付けられた状態において、固着部３００の円筒部７００と相対する位置に前後に貫通する孔６０２を備える。雄ネジ９は、基板６の孔６０２と円筒部７００の孔７０１へ挿入され、ネジ頭部を回転させることによって孔７０１の内壁にネジ山が形成されながら孔７０１へ締め付けられる。基板６は、円筒部７００の裏面と雄ネジ９のネジ頭部に狭持されることによって、前面パネル部２に固定された固着部３００に固定される。この状態において、操作部６０１の先端は、孔３０１を介して孔２０１から前方へ突出する。
【０００６】
図示しない入力部は、図示しない導電ケーブルを介して他の装置から出力されたオーディオ信号を入力し、図示しない記録部へ出力する。操作部６０１は、切替えスイッチから成り、操作部６０１の操作により基板６はオーディオ信号の記録のオン・オフを切替える設定信号を出力する。図示しない制御部は、基板６からオーディオ信号の記録をオンする設定信号が出力されると、入力部から入力されたオーディオ信号を記録し、基板６からオーディオ信号の記録をオフする設定信号が出力されると、入力部から入力されたオーディオ信号の記録を停止するよう記録部を制御する。記録部は、制御部の制御により、入力部からのオーディオ信号の記録を開始し、またはオーディオ信号の記録を停止する。
【０００７】
以上により、オーディオ信号記録装置１００は、他の装置から入力されたオーディオ信号を記録する。
【０００８】
近年、環境保全のために、電子機器等に用いた資材を有効利用するための資材リサイクル活動が高まりつつある。電子機器を構成する複数の種類の部材をリサイクル活用する場合、それぞれの部材を分離し回収する作業が必要になる。
【０００９】
従来のオーディオ信号記録装置１００の前面パネル部２及び固着部３００をリサイクル活用する場合、固着部３００を前面パネル部２から剥離することが必要となる。両面粘着テープ１０によって粘着された固着部３００を剥離するためには、両面粘着テープ１０が固着部３００と前面パネル部２とを固定する粘着力よりも大きな力を固着部３００へ加える必要がある。
【００１０】
このような、パネルの表面に貼付された板状の部材を剥離する方法として、予めパネル部に備えた貫通孔から当該板状の部材を当該パネルの反対方向へ押圧することによって剥離する方法が知られている（例えば、特許文献１参照。）。このように、パネルに貼付した板状の部材を剥離する場合は、両面粘着テープの粘着力よりも大きな力により板状の部材をパネルの反対方向へ押圧することによって、パネルへ固定された板状の部材を剥離することができる。
【００１１】
【特許文献１】特開２００１−９４２６８号公報
【発明の開示】
【発明が解決しようとする課題】
【００１２】
図８は、従来のオーディオ信号記録装置１００の前面パネル部２及び固着部３００を示す上面図である。固着部３００は、両面粘着テープ１０による粘着力により、前面パネル部２に固定されている。
【００１３】
図８に示すように、一般的に孔３０１の形状は、孔２０１の形状と略同一であるため、固着部３００を押圧する部分がなく、固着部３００を前面パネル部２の反対方向へ押圧することができない。このため、例えば、前面パネル部２の孔２０１と異なる箇所に貫通孔を備え、固着部３００の前面がこの貫通穴から露出するようにし、この貫通孔へ棒状の部材から成る剥離部材を挿入して固着部３００を前面パネル部２の反対方向へ押圧するようにすれば、固着部３００を前面パネル部２から剥離することができる。しかし、この場合、前面パネル部２の貫通孔からは常に固着部３００が露出してしまい、オーディオ信号記録装置１００の外観が損なわれてしまう。また、固着部３００を前面パネル部２から剥離するためには、前述したような剥離部材が必要であるため、例えば、剥離部材を紛失してしまった場合、この剥離部材の代用となる部材を調達して、固着部３００の剥離作業を行なわなければならず、剥離作業に手間が掛かってしまう。
【００１４】
本発明は、前面パネルの裏面に操作部を固定する固着部が粘着された電子機器において、剥離部材を用いることなく容易に固着部をパネルから剥離させることができる電子機器を提供することを目的とする。
【課題を解決するための手段】
【００１５】
本願の請求項１記載の発明は、電子機器において、箱型を成し内部に電子回路を固定する筐体と、前記筐体の前面に固定され前後に貫通する貫通孔を備えるパネルと、前記パネルの裏面に取り付けられ前記パネルの貫通孔に相対する位置に貫通する貫通孔を備え裏面に後方へ開口する孔を備える円筒部を有する固着部と、前記パネルの貫通孔から突出し操作時に前記電子回路の動作に関する設定信号を出力する操作部を備え前記固着部の後方に配設され前記円筒部の孔と相対する位置に貫通する孔を備える基板と、前記基板の孔を介して前記円筒部の孔に締結されることにより前記基板を前記固着部に固定する雄ネジとを備え、前記固着部は、前後に貫通する切り欠きを備え、前記円筒部は、前記孔の軸方向に対して垂直方向へ貫通する孔を備えることを特徴とする。
【発明の効果】
【００１６】
本発明の電子機器及び表示窓剥離方法によれば、前面パネルの裏面に操作部を固定する固着部が粘着された電子機器において、剥離部材を用いることなく容易に固着部をパネルから剥離させることができる電子機器を提供することができる。
【発明を実施するための最良の形態】
【００１７】
本発明の実施の形態を図面を参照して説明する。なお、従来技術で示した構成要素と同一の部分については同符号を用いる。
【００１８】
本発明の電子機器の一実施例として、オーディオ信号記録装置を例に挙げ説明する。
図１は、本発明の一実施例のオーディオ信号記録装置を示す斜視図である。
図２は、本実施例のオーディオ信号記録装置の前面パネル部及び操作部を示す斜視図である。
オーディオ信号記録装置１は、前面パネル部２、固着部３、筐体５、操作部６０１、雄ネジ９、図示しない入力部、記録部及び制御部を備える。
【００１９】
筐体５は、前方が開口する箱型を成す。前面パネル部２は、アルミ部材から成り薄い直方体を形成し、図示しないネジによって筐体５の前面に固定される。前面パネル部２は、前後に貫通する孔２０１を備える。
【００２０】
図３は、固着部３を示す図で、図３（ａ）は正面図、図３（ｂ）は下面図である。
固着部３は、プラスチックなどの樹脂部材から成り、薄い直方体を形成し、前後に貫通する孔３０１を備える。固着部３は、略中央の上部及び下部に前後に貫通する切り欠き３０２を備える。固着部３００は、その裏面の両端部分にそれぞれ円筒型を成し後方へ突出する円筒部７を備える。円筒部７は、後方へ開口する孔７０１を備える。さらに、円筒部７は、上下に貫通する孔７０２を備える。本実施例において、円筒部７の外径は２２ｍｍとし、孔７０１の直径は１８ｍｍとする。
【００２１】
図４は、前面パネル部２、固着部３及び操作部６０１を示す図で、図４（ａ）は前面パネル部２に固着部３が粘着され、基板６が雄ネジ９によって固着部３へ固定されている状態を示す図、図４（ｂ）は図４（ａ）の状態から基板６を取り外した状態を示す図である。
【００２２】
図４（ａ）に示すように、固着部３の前面には、両面粘着テープ１０が貼付されている。固着部３は、その前面に貼付された両面粘着テープ１０が前面パネル部２の裏面に粘着することにより前面パネル部２に固定される。孔３０１の形状は、前面パネル部２の孔２０１と略同一の形状であり、固着部３は、孔３０１の位置が孔２０１の後方の位置となるよう前面パネル部２に固定される。
【００２３】
薄い板状を成す基板６は、操作部６０１を備える。基板６は、さらに固着部３００に取り付けられた状態において固着部３００の円筒部７００と相対する位置に前後に貫通する孔６０２を備える。雄ネジ９は、基板６の孔６０２と円筒部７の孔７０１へ挿入され、ネジ頭部を回転させることによって孔７０１の内壁にネジ山が形成されながら孔７０１へ締め付けられる。基板６は、円筒部７の裏面と雄ネジ９のネジ頭部に狭持されることによって、前面パネル部２に固定された固着部３に固定される。この状態において、操作部６０１の先端は、孔３０１を介して孔２０１から前方へ突出する。
【００２４】
図示しない入力部は、図示しない導電ケーブルを介して他の装置から出力されたオーディオ信号を入力し、図示しない記録部へ出力する。操作部６０１は、切替えスイッチから成り、操作部６０１の操作により基板６はオーディオ信号の記録のオン・オフを切替える設定信号を出力する。図示しない制御部は、基板６からオーディオ信号の記録をオンする設定信号が出力されると、入力部から入力されたオーディオ信号を記録し、基板６からオーディオ信号の記録をオフする設定信号が出力されると、入力部から入力されたオーディオ信号の記録を停止するよう記録部を制御する。記録部は、制御部の制御により、入力部からのオーディオ信号の記録を開始し、またはオーディオ信号の記録を停止する。
【００２５】
以上により、オーディオ信号記録装置１は、他の装置から入力されたオーディオ信号を記録する。
【００２６】
図５は、オーディオ信号記録装置１の前面パネル部２及び固着部３を示す図で、図５（ａ）は図４（ｂ）の状態から円筒部７を前面パネル部２の反対方向へ引いた様子を示す上面図、図５（ｂ）は図５（ａ）の状態から更に円筒部７を引いた様子を示す上面図である。
【００２７】
固着部３を前面パネル部２から剥離する場合は、先ず、図４（ａ）に示す状態から雄ネジ９を緩め、図４（ｂ）に示すように円筒部７から基板６を取り外す。次に、両端の円筒部７のうち、どちらか一方の円筒部７の孔７０２へ指を掛架した後、この掛架した指を前面パネル部２の反対方向へ引く。すると、図５（ａ）に示すように、固着部３は、指が円筒部７を引く力によって、両面粘着テープ１０の一端が前面パネル部２から剥がれ、固着部３が撓んだ状態となる。
【００２８】
図５（ａ）の状態から更に孔７０２へ掛架した指を前面パネル部２の反対方向へ引くと、前面パネル部２に粘着した両面粘着テープ１０の略半分の部分が前面パネル部２から剥がれて撓む。このとき、切り欠き３０２が形成された固着部３の中央部分は、孔７０２に掛架した指先の引く力により切断され、図５（ｂ）に示すように、固着部３の略半分の部分が前面パネル部２から剥離する。
【００２９】
次に、前面パネル部２に粘着されているもう一方の円筒部７の孔７０２に指を掛架し、孔７０２に掛架した指を前面パネル部２の反対方向へ引く。すると、前述したのと同様に、両面粘着テープ１０の一端が前面パネル部２から剥がれ、更に孔７０２へ掛架した指を前面パネル部２の反対方向へ引くことにより、前面パネル部２粘着した固着部３の残りの部分も前面パネル部２から剥離する。
【００３０】
以上の構成により、本実施例のオーディオ信号記録装置１は、固着部３の両端に備えた円筒部７のうち、一方の円筒部７の孔７０２へ指を掛架し、この掛架した指を前面パネル部２の反対方向へ引くことによって、簡単に固着部３の略半分の部分を前面パネル部２から剥がすことができ、前面パネル部２に粘着された残りの部分についても、他方の円筒部７の孔７０２へ指を掛架して引くことにより、簡単に剥がすことができる。これにより、前面パネル部２に粘着した固着部３を一度に剥離する必要がないので、例えば、一端の円筒部７を指で引き、固着部３の半分以上の部分が前面パネル部２から剥がれている途中で指が疲れてしまい、円筒部７を引くのを中断した場合、それまでに前面パネル部２から剥がれて撓んだ状態となっていた固着部３が弾性によって元の状態に戻ってしまい、前面パネル部２へ再び粘着してしまうのを防止することができる。
【００３１】
本実施例のオーディオ信号記録装置１は、固着部３の略中央に切り欠き３０２を備えた構成としたが、例えば、図３に示す固着部３の右側部分と左側部分を分割した構成とすれば、固着部３の右側部分と左側部分にそれぞれ備えられた円筒部７の孔７０２へ指を掛架して引くことにより、それぞれの固着部を前面パネル部２から簡単に剥がすことができる。
しかしながら、固着部３の右側部分と左側部分を分割した構成とした場合、オーディオ信号記録装置を製造する段階において、分割された固着部をそれぞれ前面パネル部２へ粘着させる作業が必要になり、この作業に手間が掛かってしまう。本実施例のオーディオ信号記録装置１は、固着部３の略中央に切り欠き３０２を備えた構成とすることにより、オーディオ信号記録装置を製造する段階において、図２に示すように、１つの固着部３を前面パネル部２の裏面へ粘着する作業を行なうことによって、固着部３の裏面の両端に備えたそれぞれの円筒部７を一度に前面パネル部２へ粘着させることができる。これにより、固着部３の右側部分と左側部分を分割した構成の場合と比較して、固着部３を前面パネル部へ粘着させる作業を容易にすることができるので、オーディオ信号記録装置１の製造コストを低減させることができる。
【００３２】
また、本実施例のオーディオ信号記録装置１は、円筒部７の孔７０２へ指を掛架して引くことによって簡単に前面パネル部２から固着部３を剥離させることができるので、固着部３を前面パネル部２から剥離させるための剥離部材を用いる必要がない。このため、固着部３の剥離作業を簡単に行なうことができる。
【図面の簡単な説明】
【００３３】
【図１】本発明の一実施例のオーディオ信号記録装置を示す斜視図。
【図２】本実施例のオーディオ信号記録装置の前面パネル部及び操作部を示す斜視図。
【図３】固着部３を示す図で、図３（ａ）は正面図、図３（ｂ）は下面図。
【図４】前面パネル部２、固着部３及び操作部６０１を示す図で、図４（ａ）は前面パネル部２に固着部３が粘着され、基板６が雄ネジ９によって固着部３へ固定されている状態を示す図、図４（ｂ）は図４（ａ）の状態から基板６を取り外した状態を示す図。
【図５】オーディオ信号記録装置１の前面パネル部２及び固着部３を示す図で、図５（ａ）は図４（ｂ）の状態から円筒部７を前面パネル部２の反対方向へ引いた様子を示す上面図、図５（ｂ）は図５（ａ）の状態から更に円筒部７を引いた様子を示す上面図。
【図６】従来のオーディオ信号記録装置の一例を示す斜視図。
【図７】従来のオーディオ信号記録装置の前面パネル部及び操作部を示す斜視図。
【図８】従来のオーディオ信号記録装置１００の前面パネル部２及び固着部３００を示す上面図。
【符号の説明】
【００３４】
１  オーディオ信号記録装置、２  前面パネル部、２０１  孔、
３  固着部、３０１  孔、３０２  切り欠き、５  筐体、
６  操作部６０１０１  基板、６０２  孔、７  円筒部、７０１  孔、７０２  孔、
９  雄ネジ、１０  両面粘着テープ、
１００  オーディオ信号記録装置、３００  固着部、７００  円筒部
【図１】
2006012958.tif 000003
【図２】
2006012958.tif 000004
【図３】
2006012958.tif 000005
【図４】
2006012958.tif 000006
【図５】
2006012958.tif 000007
【図６】
2006012958.tif 000008
【図７】
2006012958.tif 000009
【図８】
2006012958.tif 000010